(57)【要約】【課題】着用感に優れ且つ着用者のバストを美しく見せる衣服を提供すること。【解決手段】着用者の胸部を覆う胸部領域４において、外層５及び内層６の少なくとも２層を含む、バストパッド付きの衣服１であって、内層６が、一対のバストパッド８と、それらの間に配置され且つそれらを連結する第１のパッド連結部９と、それらの下方に配置され且つそれらを連結する第２のパッド連結部１０と、裏地布帛７とを含み、第１のパッド連結部９が、所定の二股部を含み、第２のパッド連結部１０が、一対のバストパッド８の下方において幅方向に延びており、そして第１のパッド連結部９及び第２のパッド連結部１０が、それぞれ、非伸縮性の布帛から形成されていることを特徴とする衣服１。【選択図】図１
2015021207.tif 000002
【特許請求の範囲】
【請求項１】
着用者の胸部を覆う胸部領域において、外層及び内層の少なくとも２層を含む、バストパッド付きの衣服であって、
前記内層が、一対のバストパッドと、前記一対のバストパッドの間に配置され且つ一対のバストパッドを連結する第１のパッド連結部と、前記一対のバストパッドの下方に配置され且つ一対のバストパッドを間接的に連結する第２のパッド連結部と、裏地布帛とを含み、
第１のパッド連結部が、２つの突起部と、それらの間の１つの谷部とを有する二股部を含み、前記２つの突起部が、それぞれ、上方を向き且つ一対のバストパッドの縁に添うように配置されており、
第２のパッド連結部が、前記一対のバストパッドの下方において幅方向に延びており、そして
第１のパッド連結部及び第２のパッド連結部が、それぞれ、非伸縮性の布帛から形成されている、
ことを特徴とする、前記衣服。
【請求項２】
第１のパッド連結部と、第２のパッド連結部とが、連結されている、請求項１に記載の衣服。
【請求項３】
第１のパッド連結部の谷部と、第２のパッド連結部の幅方向中央部とが接している、請求項１又は２に記載の衣服。
【請求項４】
第１のパッド連結部と、第２のパッド連結部とが、前記裏地布帛にさらに連結されている、請求項１〜３のいずれか一項に記載の衣服。
【請求項５】
第１のパッド連結部の２つの突起部の頂点が、前記バストパッドの頂部と、前記バストパッドの乳頭部との間の高さにある、請求項１〜４のいずれか一項に記載の衣服。
【請求項６】
第１のパッド連結部の２つの突起部のお互いに向かい合う辺の交点が、前記バストパッドの乳頭部と、前記バストパッドの底部との間の高さにある、請求項１〜５のいずれか一項に記載の衣服。
【請求項７】
第２のパッド連結部の幅方向端部が、前記バストパッドの最内部と、前記バストパッドの乳頭部との間の幅方向位置にある、請求項１〜６のいずれか一項に記載の衣服。
【請求項８】
第２のパッド連結部の底部が、着用者の鳩尾よりも高い高さにある、請求項１〜７のいずれか一項に記載の衣服。
【請求項９】
前記一対のバストパッドが、正面視において、略三角形、略円形及び略楕円形から成る群から選択される形状を有する、請求項１〜８のいずれか一項に記載の衣服。
【請求項１０】
スポーツ用衣服である、請求項１〜９のいずれか一項に記載の衣服。
【請求項１１】
水着である、請求項１〜１０のいずれか一項に記載の衣服。
【発明の詳細な説明】
【技術分野】
【０００１】
本開示は、衣服、特にスポーツ用衣服に関する。
【背景技術】
【０００２】
一対のバストパッドを含む衣服、例えば、水着では、例えば、図８に示されるように、一対のバストパッド１０８の間が、伸縮性を有する裏地布帛１０７、例えば、パワーネット等で連結されているものが知られている。
【０００３】
また、従来のバストパッドを含む衣服、例えば、水着では、着用者のバストを美しく見せるために、種々の検討がなされている。例えば、特許文献１では、表地と裏地とで２重に縫成した水着であって、上記裏地の前面側は、バスト部位に適度の厚みを持ちバストアップするバストカップを配して、これらの内側同士を伸縮しない布地で連結すると共に、外側に伸縮性のネット地を連結し、アンダバスト部位に伸縮性のネット地を縫成し、腹部位の中央又は中央から若干離れた両腹脇を上下方向に立体裁断して縫成し、前記裏地の後面側は、ヒップ部位の中央部に弱い伸縮性のネット地を、またこの中央部の両側及び下部を囲橈する周囲を中央部より強い伸縮性のネット地をそれぞれ配して縫成した水着が記載されている。
【先行技術文献】
【特許文献】
【０００４】
【特許文献１】実開昭６２−１２６３１２号公報
【発明の概要】
【発明が解決しようとする課題】
【０００５】
しかし、図８に示される水着では、体の動きに伴い、一方のバストが揺れると、もう一方のバストがパワーネット等の伸縮力につられて揺れ、その結果、着用者のバストがバストパッド１０８に収まりにくくなる場合があった。また、図８に示される水着には、着用者のバストの間の谷間部分が浮きやすい、バストパッド１０８の下方１０９に裏地布帛が溜まり、着用感に劣る等の問題点があった。
また、特許文献１に記載の水着では、そもそも、連結されるのは、バストパッドではなく、バストパッドを収納するバストカップである。また、特許文献１に記載の水着では、着用者が前屈みになった際に、バストカップ１０８が着用者のバストから浮き、着用者のバストが見える恐れがある他、胸元から水が侵入しやすい問題点があった。さらに、特許文献１に記載の水着では、アンダバスト部位に伸縮性のネット地が縫成されているため、バストパッド１０８の位置が不安定になり、左右にずれやすい等の問題点があった。
従って、本開示は、着用感に優れ且つ着用者のバストを美しく見せる衣服を提供することを目的とする。
【課題を解決するための手段】
【０００６】
本開示者らは、上記課題を解決するために鋭意検討した結果、着用者の胸部を覆う胸部領域において、外層及び内層の少なくとも２層を含む、バストパッド付きの衣服であって、上記内層が、一対のバストパッドと、上記一対のバストパッドの間に配置され且つ一対のバストパッドを連結する第１のパッド連結部と、上記一対のバストパッドの下方に配置され且つ一対のバストパッドを間接的に連結する第２のパッド連結部と、裏地布帛とを含み、第１のパッド連結部が、２つの突起部と、それらの間の１つの谷部とを有する二股部を含み、上記２つの突起部が、それぞれ、上方を向き且つ一対のバストパッドの縁に添うように配置されており、第２のパッド連結部が、上記一対のバストパッドの下方において幅方向に延びており、そして第１のパッド連結部及び第２のパッド連結部が、それぞれ、非伸縮性の布帛から形成されていることを特徴とする衣服を見出した。
【発明の効果】
【０００７】
本開示の衣服は、着用感に優れ且つ着用者のバストを美しく見せる。
【図面の簡単な説明】
【０００８】
【図１】図１は、本開示の衣服の実施形態の１つの正面図である。
【図２】図２は、図１に示される衣服１の上衣２（裏返した状態）の正面図である。
【図３】図３は、図１に示される衣服１の上衣２（裏返した状態）の背面図である。
【図４】図４は、図２に示される上衣２の胸部領域４の拡大図である。
【図５】図５は、本開示の衣服の別の実施形態を説明するための図である。
【図６】図６は、本開示の衣服のさらに別の実施形態を説明するための図である。
【図７】図７は、本開示の衣服のさらに別の実施形態を説明するための図である。
【図８】図８は、従来の衣服を説明するための図である。
【発明を実施するための形態】
【０００９】
［定義］
初めに、本明細書で用いられる主要な用語について定義する。
「内層及び外層」
本明細書において、「内層」は、外層よりも着用者に近い層を意味し、例えば、着用者の肌に直接触れるそうであることができる。また、「外層」は、内層よりも、着用者から遠い層を意味し、例えば、衣服の表地であることができる。
なお、本明細書において、内層は、１層又は２層以上であることができる。例えば、衣服の外層の全面に裏地布帛を縫い付け、次いで、裏地布帛に、一対のバストパッド、第１のパッド連結部及び第２のパッド連結部を縫い付けたものも、内層に含まれる。この場合には、内層が、裏地布帛及びバストパッドから成る２層、裏地布帛及び第１のパッド連結部から成る２層等を含む。
【００１０】
「上方及び下方」
本明細書において、「上方」及び「下方」は、それぞれ、丈方向の上方及び丈方向の下方を意味する。
「高さ」
本明細書において、「高さ」は、丈方向の高さを意味する。
【００１１】
「前方及び後方」
本明細書において、「前方」及び「後方」は、それぞれ、着用者を基準とする。
「右及び左」
本明細書において、「右」及び「左」を含む用語、例えば、右端、左端等は、それぞれ、着用者を基準とする。
【００１２】
「幅方向」
本明細書において、「幅方向」は、着用者の左右方向を意味する。
「頂部（頂点）及び底部」
本明細書において、「頂部」（頂点）及び「底部」は、それぞれ、対象物の丈方向の最も高い点及び最も低い点を意味する。
【００１３】
「（バストパッドの）乳頭部」
本明細書において、バストパッドに関する「乳頭部」は、着用者の乳頭に対応する部位であり、便宜上、バストパッドの、前方に最も突出している部位を表す。
【００１４】
「第１の連結部及び第２の連結部」
本明細書において、「第１の連結部」は、非伸縮性の布帛のうち、一対のバストトップの間且つバストパッドの底部と丈方向に同じ高さか、又はそれ以上の高さの部分を意味する。
また、本明細書において、「第２の連結部」は、非伸縮性の布帛のうち、一対のバストトップの下方、より具体的には、バストトップの底部よりも丈方向に低い部分を意味する。
【００１５】
「非伸縮性の布帛」
本明細書において、「非伸縮性の布帛」には、当業者に一般的に非伸縮性であると認識されている布帛が特に制限されずに含まれる。
また、上記非伸縮性は、ＪＩＳ  Ｌ  １０９６：２０１０、織物及び編物の生地試験方法、８．１４  引張強さ及び伸び率のＢ法（グラブ法）に従って測定される、切断時の伸び率が、好ましくは約３０％以下、より好ましくは約２０％以下、さらに好ましくは約１０％以下、さらに好ましくは約５％以下、そしてさらに好ましくは約３％以下であることを意味する。
【００１６】
上述の切断時の伸び率は、織物においては、縦方向及び横方向の２方向、編物においては、ウェール方向及びコース方向の２方向において上述の範囲にあることが好ましく、そして任意の方向において上述の範囲にあることがより好ましい。
【００１７】
なお、上記伸び率は、布帛の自然状態の長さをＬ0とし、破断時の長さをＬBとしたばあいに、
伸び率（％）＝１００×（ＬB−Ｌ0）／Ｌ0
で表される。
上記試験に用いられる引張試験機としては、例えば、定速伸張型引張試験器、例えば、ＯＲＩＥＮ  ＴＥＣ社製のＲＴＣ−１２１０Ａが挙げられる。
【００１８】
「布帛」
本明細書において、「布帛」は、繊維を含む帯状物を意味し、織物、編物及び不織布を含む。
【００１９】
本開示の衣服について、以下、図面を用いて詳細に説明する。
図１は、本開示の衣服の実施形態の１つの正面図であり、図２及び図３は、それぞれ、図１に示される衣服１の上衣２（裏返した状態）の正面図及び背面図である。図１〜図３に示される衣服１は、セパレート型の水着であり、上衣２と、下衣３とを含む。図１〜図３に示される衣服１の上衣２は、着用者の胸部を覆う胸部領域４が、外層５及び内層６の少なくとも２層を含む。
【００２０】
なお、図１〜３に示される実施形態では、上衣２は、前身頃（図示せず）及び後身頃（図示せず）から成り、前身頃に内層６が形成されているが、後身頃には内層６が形成されていない。
【００２１】
内層６は、裏地布帛７と、一対のバストパッド８と、一対のバストパッド８の間に配置され且つそれらを連結する第１のパッド連結部９と、一対のバストパッド８の下方に配置され且つそれらを間接的に連結する、より具体的には、一対のバストパッド８を第１のパッド連結部９を介して連結する第２のパッド連結部１０とを含む。
【００２２】
なお、本明細書では、第２のパッド連結部に関する「間接的に」の用語は、第２のパッド連結部が、少なくとも第１のパッド連結部を間に挟んで、一対のバストパッドを連結することを意味する。第１のパッド連結部と、第２のパッド連結部とが連結されている場合には、第２のパッド連結部は、第１のパッド連結部のみを間に挟んで、一対のバストパッドを連結することができ、そして第１のパッド連結部と、第２のパッド連結部とが、それらの間に裏地布帛を含む場合には、第２のパッド連結部は、第１のパッド連結部及び裏地布帛を間に挟んで、一対のバストパッドを保持することができる。
【００２３】
図１及び図２に示される上衣２において、第２のパッド連結部１０は、一対のバストパッド８の下方において幅方向Ｗに延びており、そして第１のパッド連結部９及び第２のパッド連結部１０は、それぞれ、非伸縮性の布帛から形成されている。
【００２４】
図４に示される実施形態では、図２に示される上衣２の胸部領域４の拡大図である。図４において、第１のパッド連結部９は、２つの突起部１１と、それらの間の１つの谷部１２とを有する二股部を含み、２つの突起部１１が、それぞれ、上方を向き且つ一対のバストパッド８の縁１３に添うように配置されている。
図４に示される実施形態では、第１のパッド連結部９と、第２のパッド連結部１０とは、連結されている、より具体的には、１枚の布帛から形成されている。
【００２５】
図４に示される実施形態では、第１のパッド連結部９の谷部１２と、第２のパッド連結部１０の幅方向中央部１４とが接している。また、図４において、第１のパッド連結部９と、第２のパッド連結部１０とは、第１の連結部９及び第２の連結部１０に連結されていない部分が、裏地布帛７にさらに連結されている。
【００２６】
図４に示される実施形態では、第１のパッド連結部９の２つの突起部１１の頂点１５は、バストパッド８の頂部１６と、バストパッド８の乳頭部１７との間の高さにある。
頂点１５が上記高さにあることにより、着用者のバストを内側に寄せ、美しく保持することができる。
【００２７】
本開示の衣服では、着用者との関係においては、上記頂点は、着用者の幅方向中心から、幅方向端部に向かって、好ましくは約４．０〜約８．０ｃｍ、そしてより好ましくは約５．０〜約７．０ｃｍ幅方向外側の位置、そして着用者の乳頭から好ましくは約２．０〜６．０ｃｍ、そしてより好ましくは約３．０〜約５．０ｃｍ高い位置に存在する。
上記頂点が上記位置にあることにより、着用者のバストを内側に寄せ、美しく保持することができる。
【００２８】
図４において、第１のパッド連結部９の２つの突起部１１のお互いに向かい合う辺１８の交点１９は、バストパッド８の乳頭部１７と、バストパッド８の底部２０との間の高さにある。
交点１９が上記高さにあることにより、着用者のアンダーバストの位置を一定に保持することができ、着用者のバストを美しく保持することができる。
【００２９】
本開示の衣服では、第１のパッド連結部の２つの突起部のお互いに向かい合う辺の交点は、着用者との関係においては、着用時に、着用者の乳頭よりも低い位置にあることが好ましく、そして着用者の乳頭よりも約１．０〜約３．０ｃｍ低い位置にあることが好ましく、そして約１．５〜約２．５ｃｍ低い位置にあることがより好ましい。また、本開示の衣服では、上記交点は、着用時に着用者の剣状突起に位置することが好ましい。
上記交点が上記位置にあることにより、着用者のアンダーバストの位置を一定に保持することができ、着用者のバストを美しく保持することができる。なお、上記交点が上記位置よりも低いと、着用者のバストが開いて見える傾向がある。
【００３０】
図３において、第２のパッド連結部１０の幅方向端部２１が、バストパッド８の最内部２２と、バストパッド８の乳頭部１７との間の幅方向位置にある。
本開示の衣服では、第２のパッド連結部の幅方向端部が、バストパッドの最内部よりも幅方向内側位置にあると、一対のバストパッドの乳頭部間の距離を一定に保つことが難しくなる、着用者のバストが下方に垂れることを抑制することが難しくなる傾向がある。また、本開示の衣服では、第２のパッド連結部の幅方向端部が、バストパッドの乳頭部よりも幅方向外側位置にあると、着用者の体の幅が強調され、バストが美しく見えなくなる傾向がある。
【００３１】
また、図３において、第２のパッド連結部１０の底部２３が、着用者の鳩尾（図示せず）よりも高い高さにある。
本開示の衣服では、第２のパッド連結部の底部が、着用者の鳩尾と同一の高さ又はそれより低い高さにあると、着用者の腹部を圧迫し、着用感が劣る傾向がある。
【００３２】
図１〜図４に示される実施形態では、一対のバストパッドは、正面視において、略三角形の形状を有するが、本開示の衣服の別の実施形態では、一対のバストパッドは、略円形、略楕円形等の形状を有する。
【００３３】
本開示の衣服では、第１のパッド連結部は、非伸縮性の布帛から形成されるため、一対のバストパッドの距離、具体的には、一対のバストパッドの乳頭部間の距離を一定に保持することができ、着用者のバストを、一定の距離、例えば、内側に寄せたまま保持することができる。
【００３４】
また、本開示の衣服において、第１のパッド連結部は、２つの突起部と、それらの間の１つの谷部とを有する二股部を含み、２つの突起部が、それぞれ、上方を向き且つ一対のバストパッドの縁に添うように配置されている。上記特徴により、本開示の衣服は、着用者が前屈みになる等の際に、着用者の胸の谷間で、衣服の浮きが生じにくくなり、着用者が安心感を得ることができる。
【００３５】
本開示の衣服において、第２のパッド連結部は、一対のバストパッドの下方において幅方向に延びている。第２のパッド連結部は、非伸縮性の布帛から形成されているため、第２のパッド連結部は、一対のバストパッドの距離、具体的には、一対のバストパッドの乳頭部間の距離をより一定に保つことができ、着用者のバストを、一定の距離、例えば、内側に寄せたまま保持することができる。
また、第２のパッド連結部は、着用者のバストが下方に垂れることを抑制することができるため、着用者のバストを上向きに保持することができる。
【００３６】
さらに、本開示の衣服において、第２のパッド連結部は、衣服が幅方向に伸長されることを抑制し、一対のバストパッドの下方に、衣服、より具体的には内層の溜まりが生じにくく、着用者が不快感を覚えにくい。
【００３７】
本開示の衣服は、着用者の胸部を覆う胸部領域において、外層及び内層の少なくとも２層を含む、バストパッド付きの衣服であれば特に制限されないが、例えば、水着、タンクトップ等であることができる。
【００３８】
上記水着としては、特に制限されず、例えば、ワンピース型、セパレート型（上衣及び下衣）等であることができ、例えば、袖は、半袖、五分袖、七分袖、長袖等であることができ、そして脚部は、例えば、股下まで（脚部なし）、膝上まで、膝下まで、足首まで、そして足までの長さを有することができる。
また、本開示の衣服が、上衣及び下衣を含むセパレート型の水着の場合には、上衣の身丈は、例えば、ウエストまで、腹囲まで、ヒップまで、そして大腿部までであることができる。
【００３９】
本開示の衣服では、第１のパッド連結部及び第２のパッド連結部は、非伸縮性の素材であれば特に制限されないが、例えば、織物、例えば、マーキゼット等が挙げられる。
【００４０】
また、本開示の衣服では、第１のパッド連結部及び／又は第２のパッド連結部が、その間にファスナー部等を有してもよい。
図５は、本開示の衣服の別の実施形態を説明するための図であり、図２と同様に、上衣２を裏返した状態の正面図である。図５に示される上衣２は、襟ぐりから腰回り開口部まで延びるファスナー部２４を有し、第１の連結部９が、ファスナー部２４により、第１の連結部の右端９'と、第１の連結部の左端９''とに分割されており、そして第２の連結部１０が、ファスナー部２４により、第２の連結部の右端１０'と、第２の連結部の左端１０''とに分割されている以外は、図１〜４に示される上衣２と同一である。
【００４１】
図５に示されるような実施形態では、第１の連結部及び第２の連結部が、ファスナー部により分割されているが、第１の連結部及び第２の連結部の非伸縮性は保持されるため、本開示の効果を有する。
【００４２】
図６は、本開示の衣服のさらに別の実施形態を説明するための図であり、図２と同様に、上衣２を裏返した状態の正面図である。図６に示される上衣２は、襟ぐりから第１の連結部９の途中まで延びるファスナー部２４を有し、第１の連結部９の一部が、ファスナー部２４により分割されている以外は、図１〜４に示される上衣２と同一である。
図６に示されるような実施形態では、第１の連結部の一部が、ファスナー部により分割されているが、第１の連結部及び第２の連結部の非伸縮性は保持されるため、本開示の効果を有する。
【００４３】
図７は、本開示の衣服のさらに別の実施形態を説明するための図であり、図２と同様に、上衣２を裏返した状態の正面図である。図７に示される上衣２は、略円形の、一対のバストパッド８を有する以外は、図１〜４に示される上衣２と同一である。
図７に示される実施形態も、本開示の効果を有する。
【００４４】
本開示の衣服では、一対のバストパッドの乳頭部の間隔は、好ましくは約１７．０〜約１９．０ｃｍ、そしてより好ましくは約１７．５〜約１８．５ｃｍの範囲にある。上記間隔が上記範囲を超えると、着用者のバストが、バストパットの位置からずれやすくなり、着用者が違和感を覚えやすい。
【００４５】
図８は、従来の衣服を説明するための図であり、図２と同様に、上衣２を裏返した状態の正面図である。図８に示される上衣２は、一対のバストパッド１０８の間が、伸縮性を有する裏地布帛１０７で連結されている。
【実施例】
【００４６】
以下、例を挙げて本開示を説明するが、本開示はこれらの例に限定されるものではない。
［比較製造例１］
図８に示される比較用水着Ｎｏ．１を作成した。
［製造例１］
図１〜図４に示される水着Ｎｏ．１を作成した。第１の連結部及び第２の連結部は、市販のマーキゼットを、図１〜図４に示されるように一体に裁断し、比較用水着Ｎｏ．１の該当する場所に、縫製により固定することにより形成された。
【００４７】
［例１］
水着Ｎｏ．１及び比較用水着Ｎｏ．１を、それぞれ、２０代〜５０代の被験者計十名に着用してもらった。
その結果、水着Ｎｏ．１では、１００％の被験者が、バストの谷間が浮く感じを有しないと回答した。一方、比較用水着Ｎｏ．１では、６０％の被験者が、バストの谷間が浮く感じがすると回答した。
【００４８】
また、水着Ｎｏ．１に関しては、１００％の被験者が、バストカップの下方に布帛の溜まり感がないとの回答した。一方、比較用水着Ｎｏ．１に関しては、６０％の被験者が、バストカップの下方に布帛の溜まり感があるとの回答した。
さらに、水着Ｎｏ．１は、比較用水着Ｎｏ．１よりも着用者のバストが美しく見えるとの回答を得た。
【００４９】
具体的には、本開示は以下の（１）〜（１１）に関する。
（１）着用者の胸部を覆う胸部領域において、外層及び内層の少なくとも２層を含む、バストパッド付きの衣服であって、
前記内層が、一対のバストパッドと、前記一対のバストパッドの間に配置され且つ一対のバストパッドを連結する第１のパッド連結部と、前記一対のバストパッドの下方に配置され且つ一対のバストパッドを間接的に連結する第２のパッド連結部と、裏地布帛とを含み、
第１のパッド連結部が、２つの突起部と、それらの間の１つの谷部とを有する二股部を含み、前記２つの突起部が、それぞれ、上方を向き且つ一対のバストパッドの縁に添うように配置されており、
第２のパッド連結部が、前記一対のバストパッドの下方において幅方向に延びており、そして
第１のパッド連結部及び第２のパッド連結部が、それぞれ、非伸縮性の布帛から形成されている、
ことを特徴とする、前記衣服。
【００５０】
（２）第１のパッド連結部と、第２のパッド連結部とが、連結されている、（１）に記載の衣服。
（３）第１のパッド連結部の谷部と、第２のパッド連結部の幅方向中央部とが接している、（１）又は（２）に記載の衣服。
【００５１】
（４）第１のパッド連結部と、第２のパッド連結部とが、前記裏地布帛にさらに連結されている、（１）〜（３）のいずれか一項に記載の衣服。
（５）第１のパッド連結部の２つの突起部の頂点が、前記バストパッドの頂部と、前記バストパッドの乳頭部との間の高さにある、（１）〜（４）のいずれか一項に記載の衣服。
【００５２】
（６）第１のパッド連結部の２つの突起部のお互いに向かい合う辺の交点が、前記バストパッドの乳頭部と、前記バストパッドの底部との間の高さにある、（１）〜（５）のいずれか一項に記載の衣服。
（７）第２のパッド連結部の幅方向端部が、前記バストパッドの最内部と、前記バストパッドの乳頭部との間の幅方向位置にある、（１）〜（６）のいずれか一項に記載の衣服。
【００５３】
（８）第２のパッド連結部の底部が、着用者の鳩尾よりも高い高さにある、（１）〜（７）のいずれか一項に記載の衣服。
（９）前記一対のバストパッドが、正面視において、略三角形、略円形及び略楕円形から成る群から選択される形状を有する、（１）〜（８）のいずれか一項に記載の衣服。
【００５４】
（１０）スポーツ用衣服である、（１）〜（９）のいずれか一項に記載の衣服。
（１１）水着である、（１）〜（１０）のいずれか一項に記載の衣服。
【符号の説明】
【００５５】
１    衣服
２    上衣
３    下衣
４    胸部領域
５    外層
６    内層
７    裏地布帛
８    バストパッド
９    第１のパッド連結部
１０    第２のパッド連結部
１１    突起部
１２    谷部
１３    縁
１４    幅方向中央部
１５    頂点
１６    頂部
１７    乳頭部
１８    辺
１９    交点
２０，２３    底部
２１    幅方向端部
２２    最内部
２４    ファスナー部
【図１】
2015021207.tif 000003
【図２】
2015021207.tif 000004
【図３】
2015021207.tif 000005
【図４】
2015021207.tif 000006
【図５】
2015021207.tif 000007
【図６】
2015021207.tif 000008
【図７】
2015021207.tif 000009
【図８】
2015021207.tif 000010